(57)【特許請求の範囲】
【請求項１】
複数の端末であって、前記複数の端末のうちの各端末が、少なくともＭのアンテナモードで動作可能な単一の無線周波数（ＲＦ）チェーンを有し、Ｍが整数であり、そしてさらに、各端末が所定の方式でＭのアンテナモード間で切り替えるように動作可能である、複数の端末と、
Ｍの送信アンテナの送信機アレイを使用して前記複数の端末にダウンリンク送信を実行するための、及び、あるＬ＞０について、Ｌ（Ｍ＋Ｋ−１）スロットを介して前記送信機アレイからＫの端末に供する少なくとも１つのＢＩＡ符号を使用するマルチユーザＭＩＭＯ（ＭＵ−ＭＩＭＯ）に基づくブラインド干渉配列（ＢＩＡ）方式を使用する前記端末のうちの１つ又は複数と通信するように動作可能な、１つ又は複数の基地局であって、前記１つ又は複数の基地局のうちの少なくとも１つがＬの記号を各ユーザ端末ｋに送信し、任意の所与の端末に対する前記Ｌの記号が、Ｋより小さいある整数Ｄについて、Ｌ（Ｍ＋Ｄ−１）の連続スロットを各々介してＭの個別スロットで送信される、１つ又は複数の基地局と
を備える、ワイヤレス通信システム。
【請求項２】
各々のＬの記号がＲ次元であり、Ｒが正の整数であり、Ｌが（Ｍ−１）（Ｋ−１）と等しく、ＲがＭと等しい、請求項１に記載のワイヤレス通信システム。
【請求項３】
Ｌの記号が、スロット（ｋ−１）Ｌ＋１〜スロット（ｋ−１）Ｌ＋ＭＬのＭＬスロットで各々Ｍ回送信される、請求項１に記載のワイヤレス通信システム。
【請求項４】
前記ＢＩＡ方式が、所定の遅延パラメータＤを有し、Ｋ＋１送信スロットを介してＫのユーザに供するための少なくとも１つのＢＩＡ符号を使用し、各ユーザ端末が２つのアンテナモードで動作可能であり、
Ｋが偶数であり、整数Ｋ’について２Ｋ’と等しい場合、そのとき、所与のＤについて、０＜Ｄ＜Ｋ’を満たし、
１とＫ’の間のインデックスｋを有するユーザについて、ユーザｋの記号がスロットｋ及びｍｉｎ（Ｋ’＋１，ｋ−Ｄ＋１）に置かれ、
Ｋ’より大きいインデックスｋを有するユーザについて、ユーザｋの記号がスロットｋ＋１及びｍａｘ（Ｋ’，ｋ−Ｄ＋１）に置かれ、
Ｋが奇数であり、整数Ｋ’について１＋２Ｋ’と等しい場合、そのとき、所与のＤについて、０＜Ｄ＜Ｋ’を満たし、
１とＫ’の間のインデックスｋを有するユーザについて、ユーザｋの記号がスロットｋ及びｍｉｎ（ｋ＋Ｄ，Ｋ’＋１）に置かれ、
Ｋ’＋１より大きいインデックスｋを有するユーザについて、ユーザｋの記号がスロットｋ＋１及びｍａｘ（Ｋ’＋２，ｋ−Ｄ＋１）に置かれ、
Ｋ’＋１に等しいインデックスｋを有するユーザについて、ユーザｋの記号がスロットＫ’＋１及びＫ’＋２に置かれる、
請求項１に記載のワイヤレス通信システム。
【請求項５】
前記端末の各々が２つのアンテナモードで、Ｌが１に等しい前記少なくとも１つのＢＩＡ符号に従って、動作可能であり、前記１つ又は複数の基地局が、前記Ｋ＋１送信スロットのうちの２つを除くすべての間に２人の異なるユーザの合計２つの記号ストリームを送信する、請求項１に記載のワイヤレス通信システム。
【請求項６】
各タイムスロットが、ＯＦＤＭ送信における時間周波数スロット、又は、ＯＦＤＭ面における時間周波数スロットのブロックを備える、請求項１に記載のワイヤレス通信システム。
【請求項７】
基地局内の各送信機が、チャネル状態情報を使用することなしに前記端末のうちの１つ又は複数の端末に意図されたデータに基づきストリームを生成し、その中で１つのみのアンテナが所与の送信スロットの間に各端末でアクティブである、請求項１に記載のワイヤレス通信システム。
【請求項８】
前記１つ又は複数の基地局が、いくつかのコヒーレンス時間にまたがる複数のＢＩＡ符号を使用する、請求項１に記載のワイヤレス通信システム。
【請求項９】
１つのみのアンテナが、所与の送信スロットの間に前記複数の端末のうちの各端末でアクティブである、請求項１に記載のワイヤレス通信システム。
【請求項１０】
ユーザｋのＬの記号の各々に対応するＭの個別送信の各々が、異なる電力レベルを有する、請求項１に記載のワイヤレス通信システム。
【請求項１１】
スロットごとの電力レベルが、一定であり、スロットで送信される記号の間で共用される、請求項１に記載のワイヤレス通信システム。
【請求項１２】
複数の端末及び１つ又は複数の基地局を有するワイヤレス通信システムにおいて通信するための方法であって、各端末が、少なくともＭのアンテナモードの間で切り替えるように動作可能な単一の無線周波数（ＲＦ）チェーンを有し、さらに、前記１つ又は複数の基地局の各々が、１つ又は複数の送信アンテナを有し、ブラインド干渉配列（ＢＩＡ）方式を使用して前記端末のうちの１つ又は複数の端末と通信するように動作可能であり、前記方法が、
あるＬ＞０について、Ｌ（Ｍ＋Ｋ−１）スロットを介して送信機アレイからＫの端末に供する少なくとも１つのＢＩＡ符号を使用するステップを含む、複数の受信機が所定の方式で前記複数のアンテナモードの間で偏移する間に、前記１つ又は複数の基地局でダウンリンク送信を実行して、ブラインド干渉配列（ＢＩＡ）方式を使用して送信機アレイで前記複数の受信機にワイヤレス信号を送信するステップを含み、前記１つ又は複数の基地局のうちの少なくとも１つがＬの記号を各ユーザｋに送信する、及び、任意の所与の端末の前記Ｌの記号が、Ｋより小さいある整数Ｄについて、Ｌ（Ｍ＋Ｄ−１）連続スロットを各々介してＭの個別スロットで送信される、方法。
【請求項１３】
前記Ｌの記号の各々がＲ次元であり、Ｒは整数であり、Ｌが（Ｍ−１）（Ｋ−１）と等しく、ＲがＭと等しい、請求項１２に記載の方法。
【請求項１４】
前記Ｌの記号が、スロット（ｋ−１）Ｌ＋１〜スロット（ｋ−１）Ｌ＋ＭＬのＭＬスロットで各々Ｍ回送信される、請求項１２に記載の方法。
【請求項１５】
前記ＢＩＡ方式が、所定の遅延パラメータＤを有し、Ｋ＋１送信スロットを介してＫのユーザに供するための少なくとも１つのＢＩＡ符号を使用し、各ユーザ端末が２つのアンテナモードで動作可能であり、
Ｋが偶数であり、整数Ｋ’について２Ｋ’と等しい場合、そのとき、所与のＤについて、０＜Ｄ＜Ｋ’を満たし、
１とＫ’の間のインデックスｋを有するユーザについて、ユーザｋの記号がスロットｋ及びｍｉｎ（Ｋ’＋１，ｋ−Ｄ＋１）に置かれ、
Ｋ’より大きいインデックスｋを有するユーザについて、ユーザｋの前記記号がスロットｋ＋１及びｍａｘ（Ｋ’，ｋ−Ｄ＋１）に置かれ、
Ｋが奇数であり、整数Ｋ’について１＋２Ｋ’と等しい場合、そのとき、所与のＤについて、０＜Ｄ＜Ｋ’を満たし、
１とＫ’の間のインデックスｋを有するユーザについて、ユーザｋの前記記号がスロットｋ及びｍｉｎ（ｋ＋Ｄ，Ｋ’＋１）に置かれ、
Ｋ’＋１より大きいインデックスｋを有するユーザについて、ユーザｋの前記記号がスロットｋ＋１及びｍａｘ（Ｋ’＋２，ｋ−Ｄ＋１）に置かれ、
Ｋ’＋１に等しいインデックスｋを有するユーザについて、ユーザｋの前記記号がスロットＫ’＋１及びＫ’＋２に置かれた、
請求項１２に記載の方法。
【請求項１６】
前記受信機の各々が、２つのアンテナモードで、Ｌが１に等しい前記少なくとも１つのＢＩＡ符号に従って、動作可能であり、前記１つ又は複数の基地局が、前記Ｋ＋１送信スロットのうちの２つを除くすべての間に２人の異なるユーザの合計２つの記号ストリームを送信する、請求項１２に記載の方法。
【請求項１７】
各送信スロットが、ＯＦＤＭ送信における時間周波数スロット、又は、ＯＦＤＭ面における時間周波数スロットのブロックを備える、請求項１２に記載の方法。
【請求項１８】
チャネル状態情報を使用することなしに前記受信機のうちの１つ又は複数の受信機に意図されたデータに基づきストリームを生成する、及び、その中で１つのみのアンテナが所与の送信スロットの間に各受信機でアクティブである、基地局内の各送信機をさらに備える、請求項１２に記載の方法。
【請求項１９】
いくつかのコヒーレンス時間にまたがる複数のＢＩＡ符号を、前記１つ又は複数の基地局によって、使用するステップをさらに含む、請求項１２に記載の方法。
【請求項２０】
１つのみのアンテナが、所与の送信スロットの間に前記複数の端末内の各受信機でアクティブである、請求項１２に記載の方法。
【請求項２１】
ユーザｋのＬの記号の各々に対応するＭの個別送信の各々が、異なる電力レベルを有する、請求項１２に記載の方法。
【請求項２２】
スロットごとの電力レベルが、一定であり、スロットで送信される記号の間で共用される、請求項１２に記載の方法。
【請求項２３】
ワイヤレス通信システムにおいて複数の端末へのダウンリンク送信を実行するための基地局であって、
１つ又は複数の送信機と、
前記１つ又は複数の送信機に結合された１つ又は複数の送信アンテナとを備え、前記１つ又は複数の送信機及び送信アンテナがともに動作して、あるＬ＞０について、Ｌ（Ｍ＋Ｋ−１）スロットを介して前記１つ又は複数の送信機からＫの端末に供する少なくとも１つのＢＩＡ符号を使用するマルチユーザＭＩＭＯ（ＭＵ−ＭＩＭＯ）に基づくブラインド干渉配列（ＢＩＡ）方式を使用し、前記端末のうちの１つ又は複数の端末と通信し、前記１つ又は複数の送信機のうちの少なくとも１つの送信機或いは１つ又は複数の他の基地局の送信機及び送信アンテナと協働する送信アンテナが、Ｌの記号を各ユーザｋに送信し、任意の所与の端末の前記Ｌの記号が、Ｋより小さいある整数Ｄについて、Ｌ（Ｍ＋Ｄ−１）連続スロットを各々介してＭの個別スロットで送信される、基地局。
【発明の詳細な説明】
【技術分野】
【０００１】
本発明の実施形態は、マルチユーザ多出力多入力（Ｍｕｌｔｉｐｌｅ  Ｏｕｔｐｕｔ  Ｍｕｌｔｉｐｌｅ  Ｉｎｐｕｔ、ＭＩＭＯ）ワイヤレス送信システムの分野に関し、より詳細には、本発明は、マルチユーザＭＩＭＯ送信をサポートするために使用することができるブラインド干渉配列（ＢＩＡ）技法に関する。
［優先権］
【０００２】
本特許出願は、２０１１年４月２７日に出願された、対応する特許仮出願第６１／４７９７８２号、表題「Ａ  Ｍｅｔｈｏｄ  ｆｏｒ  Ｅｆｆｉｃｉｅｎｔ  ＭＵ−ＭＩＭＯ  Ｔｒａｎｓｍｉｓｓｉｏｎ  ｖｉａ  Ｂｌｉｎｄ  Ｉｎｔｅｒｆｅｒｅｎｃｅ  Ａｌｉｇｎｍｅｎｔ  Ｓｃｈｅｍｅｓ  ｗｉｔｈ  Ｒｅｄｕｃｅｄ  Ｃｈａｎｎｅｌ  Ｃｏｈｅｒｅｎｃｅ−Ｔｉｍｅ  Ｒｅｑｕｉｒｅｍｅｎｔｓ」の優先権を主張し、参照により本明細書に組み込む。
【背景技術】
【０００３】
ワイヤレス送信における多くの近年の進歩は、送信及び受信のためのマルチアンテナの使用に基づく。マルチアンテナは、基本的に、送信のためにワイヤレスシステムによって活用され得る自由度（ＤｏＦ）の数、すなわち、そのシステム内の受信側に同時に送信することができるスカラデータストリームの数、の増加を実現することができる。ここで、ＤｏＦは、スペクトル効率（処理能力）の向上及び／又はダイバーシティ（頑強性）の追加を実現するために使用され得る。実際、Ｎｒの受信（ＲＸ）アンテナで単一ユーザに供するＮｔの送信（ＴＸ）アンテナを有する単一ユーザＭＩＭＯ（ＳＵ−ＭＩＭＯ）システムは、ダウンリンク送信に最大ｍｉｎ（Ｎｔ，Ｎｒ）のＤｏＦを活用することができ得る。これらのＤＯＦは、たとえば、ある一定の条件の下で、ｍｉｎ（Ｎｔ，Ｎｒ）に対して線形に増加する要因によって処理能力を向上させるために使用することができる。ＭＩＭＯのそのような利益、及びＤｏＦの増加は、新しい及び将来のシステムにおいてＭＩＭＯを使用することへの関心の多くの根底にある。
【０００４】
そのようなＤｏＦの活用は、しばしば、システムにいくらかの負担を求める。１つのそのような負担は、送信アンテナと受信アンテナの間のチャネル状態の知識である。そのようなチャネル状態情報（ＣＳＩ）は、しばしば、送信機（そのようなＣＳＩはＣＳＩＴと称される）及び／又は受信機（そのようなＣＳＩはＣＳＩＲと称される）のいずれかに入手可能である必要がある。
【０００５】
使用可能なＤｏＦはまた、送信アンテナと受信アンテナの間のチャネルにおいて十分な「豊富度」を有することに依存する。たとえば、ＢＩＣＭ（Ｂｉｔ  Ｉｎｔｅｒｌｅａｖｅｄ  Ｃｏｄｅｄ  Ｍｏｄｕｌａｔｉｏｎ）及びＤ−ＢＬＡＳＴなどのＳＵ−ＭＩＭＯ  ＣＳＩＲに基づくシステムは、適切なチャネル条件の下でｍｉｎ（Ｎｔ，Ｎｒ）の最大可能ＤｏＦを実現することができる。ＣＳＩＴは、必須ではない。したがって、そのような条件の下で、それらは、スペクトル効率の対応する線形増加を可能にするために使用され得る。そのような設計は、当業者にはよく知られている。
【０００６】
同様に、基地局（ＢＳ）のＮｔの送信アンテナ及びＫの単一アンテナユーザ（Ｎｒ＝１）を有するマルチユーザＭＩＭＯ（ＭＵ−ＭＩＭＯ）システムは、最大ｍｉｎ（Ｎｔ，Ｋ）のＤｏＦを実現することができる。ＳＵ−ＭＩＭＯの場合のように、ＭＵ−ＭＩＭＯは、たとえば、ｍｉｎ（Ｎｔ，Ｋ）に対して処理能力を線形的に向上させるために使用され得る。
【０００７】
しかし、ＳＵ−ＭＩＭＯとは異なり、多数のＭＵ−ＭＩＭＯ技法は（標準として使用及び研究される一般的なＭＵ−ＭＩＭＯ技法のすべてではなくても、ほとんどが実際に）、ＣＳＩＴの知識を必要とする。ＣＳＩＴに基づくＭＵ−ＭＩＭＯは、ＣＳＩＲに基づくＳＵ−ＭＩＭＯとは異なり、送信が起こり得る前に、ＣＳＩを推定する及び送信機にＣＳＩをフィードバックするための追加のオーバヘッドを必要とする。
【０００８】
そのようなオーバヘッドに関わらず、ＭＵ−ＭＩＭＯは、それが多数の受信アンテナ、無線周波数（ＲＦ）チェーンを追加する又は携帯用若しくはモバイルデバイスの処理（たとえば、復号）複雑性を増やす必要なしにＤｏＦを増やすことができるＳＵ−ＭＩＭＯに勝る利益を有するので、実際に興味深いものである。
【０００９】
ＣＳＩオーバヘッドの問題は、慎重に検討される必要がある。それは、そのような従来のＭＩＭＯシステムを評価する際にしばしば見落とされる基本的な問題である。そのようなＣＳＩ関連オーバヘッドは、実際には、従来のＣＳＩ依存のＭＩＭＯで得ることができる正味スペクトル効率の増加を制限し得る基本的な「次元ボトルネック」を表し得る。特に、Ｎｔ（又はＮｒ若しくはＫ）を増やすことによってＤｏＦの増加（たとえば、線形増加）を活用し続けることを望む場合、送信を構築し受信機で復号するために必要とされるＣＳＩを取得する際のシステムオーバヘッドの増加をいかにしてサポートするかを考える必要がある。そのようなオーバヘッドは、ＣＳＩ推定をサポートするパイロットのための無線媒体の使用の増加と、そのようなＣＳＩ推定での受信実体と送信実体の間のフィードバックの増加を含み得る。
【００１０】
一例として、単一のＴＸアンテナと単一のＲＸアンテナの間のＣＳＩ（このタイプのＣＳＩは、しばしば、標準コミュニティ内のいくつかによって「直接ＣＳＩ」と称される）を定義する各複素スカラ値について、ワイヤレスチャネル資源の一定の割合Ｆｃｓｉがパイロット及び／又はフィードバック専用であると仮定する。ＣＳＩの次元がＮｔ、Ｎｒ及び／又はＫのような量を有するスケールを必要としたとき、総ＣＳＩシステム関連オーバヘッドは大きくなる（たとえば、Ｎｔ×Ｆｃｓｉによって）ことが示され得る。たとえば，Ｋの単一アンテナユーザについて、送信アンテナに関する各ＮｔＣＳＩスカラ項毎に、送信機が知る必要があり得るそのような複素スカラ値は合計ＫＮｔ存在する。ＣＳＩにおける次元の増加をサポートすることは、より多くのワイヤレスチャネル資源を要することがあり、データ送信に残される資源の量を減らす。このオーバヘッドの増加は、スペクトル効率の改善が増加したＣＳＩオーバヘッドを相殺しない場合、処理能力の継続的増加を制限し得る。
【００１１】
値Ｆｃｓｉは、しばしば、システムによって、或いは時間及び／又は周波数におけるチャネルのコヒーレンスが与えられた必要性によって、定義される。チャネルの状態が時間及び／又は周波数においてより急速に変化するとき、資源のより大きな効果的断片が、ＣＳＩを推定し、追跡するために使用される必要があり得る。
【００１２】
一例として、周波数分割双方向（ＦＤＤ）に基づく３ＧＰＰロングタームエボリューション（ＬＴＥ）設計において、１２×１４ＯＦＤＭ記号の資源ブロック内の８記号が、Ｎｔのアンテナの各々のダウンリンクパイロットをサポートするために使用される。そのようなパイロットのシステムオーバヘッドを単純に考慮し、フィードバックなどの他のＣＳＩ関連オーバヘッドを無視すると、Ｆｃｓｉは、８／１６８＝４．７６％と同じ大きさでもよい。それは、Ｎｔ＝８で、追加のアンテナに関して線形的なパイロット構造スケールを仮定すると、総ＣＳＩオーバヘッドは、残りの信号伝達オーバヘッド及びデータ送信をサポートするための記号の６２％を残し、３８％の大きさになり得る。実際に、ＬＴＥは、Ｎｔ＝４アンテナを越えてパイロット構造を変更することを考慮した。しかし、これはまた、ＣＳＩ正確度への含意を有する。それでもなお、明らかに、そのようなシステムは、Ｎｔの無限の増加をサポートしないことになる。
【００１３】
したがって、符号化されたデータ情報を表す記号は、ＭＩＭＯによるＤｏＦの増加により頑強性及び／又はスペクトル効率の増加で、より効率的に使用されるが、正味スペクトル効率の増加は、ＣＳＩオーバヘッドに使用される資源の断片の主要因とならざるを得ない。したがって、記号の断片のみ、たとえば（１−Ｎｔ×Ｆｃｓｉ）未満、がデータに使用され得るので、正味スペクトル効率増加は、実際には、個々のデータ記号のそれよりも小さい。
【００１４】
近年、「ブラインド干渉配列」（ＢＩＡ）技法と称される、新種の技法が、従来のＭＵ−ＭＩＭＯシステムのＣＳＩオーバヘッドの多数を必要とせずにＤｏＦを増大させる能力を実証した。そのようなシステムで、各々がいくつかの受信アンテナ要素を有する複数のユーザは、同送信資源を介して複数のデータストリーム（各ユーザに意図された少なくとも１つ）を同時に受信することができる。ＢＩＡ技法は、送信機が送信機と受信機の間の瞬間チャネル状態情報（ＣＳＩ）を知る必要なしに、送信及びストリーム間の干渉の配列を可能にする。この方法では、基地局のＮｔの送信アンテナ及びＫの単一のアクティブアンテナユーザを有するＢＩＡマルチユーザＭＩＭＯ（ＭＵ−ＭＩＭＯ）システムは、ＣＳＩＴなしでＫＮｔ／（Ｋ＋Ｎｔ−１）のＤｏＦを達成することが可能である。したがって，Ｋが大きくなるとき、そのシステムは、従来のＭＵ−ＭＩＭＯ  ＣＳＩＴに基づくシステムによって達成可能なｍｉｎ（Ｎｔ，Ｋ）のＤｏＦのＣＳＩ依存の上限に近づくことができる。これはここ数十年に亘る従来の考え及び推測の多くの先を行くものであるので、それは飛躍的な結果であり、それは、現在のシステムが直面する「次元ボトルネック」を取り除く可能性を実現する。
【００１５】
ＢＩＡに基づくシステムが動作するためには、送信する基地局と供されるＫのユーザの間のチャネルが、所定の方法（ブラインド干渉配列方式に関する）で一緒に変わらなければならないという要件が存在する。この合同の変化は、マルチアンテナモードを有することによって、達成することができる。これは、各ユーザで多数の（物理）アンテナ要素を使用することによって、又は、その物理特性（たとえば、配向性、感受性パターンなど）を変えることができる単一アンテナ要素を有することによって、実装することができる。しかし、すべてのそのような場合において、そのシステムは、１つのモードが所与のタイムスロットにアクティブであることのみを必要とする。したがって、各モバイルで単一のＲＦチェーンのみを有することで十分であり、それによって、ユーザの単一のアクティブ受信アンテナモード、すなわち、そのユーザの単一のＲＦチェーンを駆動するアンテナ、が経時的に変更され得る。言い換えれば、その単一のアクティブ受信アンテナは、たとえば、所定の方法でのＮｔのモードの間で、切り替えることができる、マルチモードアンテナである。単一のＲＦチェーンを有することは、従来の単一アンテナモードＭＵ−ＭＩＭＯシステムと合致した復号複雑性を保つ。
【００１６】
そのモードは、単一ユーザのための直線的に独立した（たとえば、直線的に独立した）ＣＳＩベクトルを作成することができなければならない。送信はまた、そのシステムには知られていないが、所与のモードのＣＳＩが効果的に一定であり、モードによって異なると仮定される、時間の適切なコヒーレンス間隔に限定されることが必要である。
【００１７】
ＢＩＡ技法は、Ｋのユーザに送信されることになる（１つのストリームが１人のユーザのための意図された情報を運ぶ）Ｋの情報担持ストリームを介して適切なアンテナモード切替え及び結合されたデータ送信ベクトルを作成することによって、機能する。そのような情報担持ストリーム自体は、ベクトルである。これらは、様々な算術の組合せで同時に送信され、それにより、アンテナモード切替えによって実現される追加のＤｏＦを使用する。
【００１８】
ユーザ受信アンテナ切替えモードと情報ストリームがＢＩＡ方式によって送信される方法の協調が、以下の原理に従うことによってＤｏＦを最大化するために設計される：
・所与のユーザを対象とする任意のＮｔの次元記号がＮｔのスロットを介して送信される。
・これらのＮｔのスロットの間に、そのユーザのアンテナ切替えパターンは、そのユーザがすべてのそのＮｔのアンテナモードを介して（それによってＮｔ次元空間で）その記号を観測し、それによってその記号を復号することができることを確保する。
・対照的に、残りのユーザのアンテナ切替えパターンは、このＮｔ次元記号の送信がそれらの受信機に１次元シャドウを送るのみというようなものである。これは、受信機の各々がすべてのＮｔ次元記号が送信される際に同アンテナモードを使用することを確保することによって、達成される。
【００１９】
したがって、合計（Ｎｔ＋Ｋ−１）の受信機次元が、ユーザごとにＮｔのスカラ記号を復号するために必要とされる。結果として、この方式で、Ｋのユーザは、（Ｎｔ＋Ｋ−１）チャネル使用ごとに合計ＫＮｔの記号（各々Ｎｔ）を復号し、それによって，ＫＮｔ／（Ｎｔ＋Ｋ−１）の最大可能ＢＩＡ  ＤｏＦを達成する。
【発明の概要】
【発明が解決しようとする課題】
【００２０】
ＢＩＡ技法は、それが使用可能なシナリオにおいて、いくつかの固有の課題及び制限を有する。１つのそのような固有の課題は、ＢＩＡ方式がユーザチャネルにおいて大きなコヒーレンス時間を必要とすること、すなわち、それらは、他のユーザストリームからの干渉を無効にすることを可能にするためにチャネルが十分長く一定のままであることを必要とする。特に、必要とされるチャネルコヒーレンス時間は、そのシステム内の多重化ユーザの数、Ｋ、及びアンテナモードの数、Ｍ、とともに急速に増える。ＢＩＡ方式によって必要とされるものより短いコヒーレンス時間は、いくらかの干渉するストリームが取り消すことができないことになり、ＤｏＦの損失をもたらすことを意味する。したがって、ＢＩＡ方式は、それらが、本質的に時間的に変化するワイヤレスチャネルを介するＢＩＡ技法の動作範囲を増やすことになるので、元のＢＩＡ方式に対する改善されたチャネルコヒーレンス時間対ＤｏＦ性能とともに必要とされる。
【課題を解決するための手段】
【００２１】
マルチユーザＭＩＭＯ（ＭＵ−ＭＩＭＯ）に基づくブラインド干渉配列（ＢＩＡ）方式を使用するためのワイヤレス通信システム、方法及び基地局が説明される。一実施形態で、本ワイヤレス通信システムは、複数の端末を備え、その複数の端末のうちの各端末は、Ｍのアンテナモードで動作可能な単一の無線周波数（ＲＦ）チェーンを有し、Ｍは整数であり、さらに、各端末は、所定の端末に特有の方式でＭのアンテナモードの間で偏移する。本ワイヤレス通信システムはまた、Ｍの送信アンテナの送信機アレイを使用する、及び、あるＬ＞０について、Ｌ（Ｍ＋Ｋ−１）スロットを介してその送信機アレイからＫの端末に供する少なくとも１つの符号ＢＩＡ符号を使用するマルチユーザＭＩＭＯ（ＭＵ−ＭＩＭＯ）に基づくブラインド干渉配列（ＢＩＡ）方式を使用してそれらの端末のうちの１つ又は複数と通信するように動作可能な、複数の端末へのダウンリンク送信を実行するための１つ又は複数の基地局を含み、その１つ又は複数の基地局のうちの少なくとも１つの基地局は各ユーザｋについて、Ｌのベクトル記号を送信し、ユーザｋのＬの記号は、Ｋより小さいある正の整数Ｄについて、１セットのＬ（Ｍ＋Ｄ−１）の連続スロット内の、各Ｍの個別スロットを介して送信される。
【図面の簡単な説明】
【００２２】
本発明は、以下の詳細な説明から、そして、本発明の様々な実施形態の添付の図面から、より完全に理解されるが、これらは特定の実施形態に本発明を限定するものとして解釈されるべきではなく、説明及び理解のみを目的とする。
【図１】元の、先行技術の、ＢＩＡ（２，Ｋ）伝送方式を示す図である。
【図２】元の、先行技術の、ＢＩＡ（２，４）伝送方式を示す図である。
【図３】元のＢＩＡ（２，４）伝送方式の再順序付けを示す図である。
【図４】新しいＢＩＡ（２，４）方式を示す図である。
【図５】新しいＢＩＡ（２，Ｋ）方式を示す図である。
【図６】新しいＢＩＡ（２，Ｋ）伝送方式のブロック記述を示す図である。
【図７】元の、先行技術の、ＢＩＡ（３，３）伝送方式を示す図である。
【図８】元の、先行技術の、ＢＩＡ（３，３）伝送方式を示す図である。
【図９】新しいＢＩＡ（３，３）伝送方式を示す図である。
【図１０】新しいＢＩＡ（３，３）伝送方式を示す図である。
【図１１】元の、先行技術の、ＢＩＡ（３，４）伝送方式を示す図である。
【図１２】新しいＢＩＡ（３，４）伝送方式を示す図である。
【図１３】元のＢＩＡ（３，Ｋ）方式のブロック記述を示す図である。
【図１４】新しいＢＩＡ（３，Ｋ）伝送方式のブロック記述を示す図である。
【図１５】元の、先行技術の、ＢＩＡ（Ｍ，Ｋ）方式のブロック記述を示す図である。
【図１６】新しいＢＩＡ（Ｍ，Ｋ）伝送方式のブロック記述を示す図である。
【図１７】複数のマルチモードアンテナでユーザに供する新しいＢＩＡ方式を示す図である。
【図１８】マルチモードアンテナ受信機の一実施形態を示す図である。
【図１９】基地局送信機の一実施形態のブロック図である。
【発明を実施するための形態】
【００２３】
本発明の実施形態は、いくつかの新しいＢＩＡ伝送方式を含む。一実施形態で、本ＢＩＡ方式は、短いチャネルコヒーレンス時間の存在下でも高いＤｏＦを可能にする。特に、本発明の実施形態は、本方式によって実現される結果として生じる自由度を犠牲にすることなしに、Ｃ．Ｗａｎｇ他、「Ａｉｍｉｎｇ  Ｐｅｒｆｅｃｔｌｙ  ｉｎ  ｔｈｅ  Ｄａｒｋ−−Ｂｌｉｎｄ  Ｉｎｔｅｒｆｅｒｅｎｃｅ  Ａｌｉｇｎｍｅｎｔ  ｔｈｒｏｕｇｈ  Ｓｔａｇｇｅｒｅｄ  Ａｎｔｅｎｎａ  Ｓｗｉｔｃｈｉｎｇ」、２０１０年２月、（以下「Ｗａｎｇ」と称する）（以下「元のＢＩＡ方式」又は「Ｗａｎｇ」と称する）に記載の元の先行技術の方式に対して低減されたチャネルコヒーレンス時間要件を実現するＢＩＡ方式のクラスを提示する。たとえば、Ｍ＝２アンテナモード及びＫのユーザの場合、本方式は、最大ＤｏＦを達成するために、ちょうど２つの連続的タイムスロットを介するチャネルコヒーレンスを必要とする。これは、そのチャネル時間コヒーレンス要件が、同時に供されるユーザの数Ｋとともに増大する元の先行技術の方式とは著しく対照的である。
【００２４】
以下の説明で、多くの詳細が、本発明のより十分な説明を提供するために、記載される。しかし、本発明はこれらの特定の詳細なしで実施され得ることが、当業者には明らかになろう。他の例では、よく知られている構造及びデバイスが、本発明を分かり難くすることを避けるために、詳細にではなくて、ブロック図の形式で示される。
【００２５】
以下の詳細な説明のいくつかの部分は、コンピュータメモリ内のデータビットでの動作のアルゴリズム及び記号表現に関して提示される。これらのアルゴリズムの説明及び表現は、データ処理技術分野の当業者によって他の当業者にそれらの作業の要旨を最も効果的に伝えるために使用される手段である。本明細書では、アルゴリズムは、概して、所望の結果をもたらすステップの自己矛盾のない順番列であると考えられる。そのステップは、物理量の物理的操作を必要とするものである。通常は、但し必ずではなく、これらの量は、記憶、転送、結合、比較、及び他の方法で操作することができる電気又は磁気信号の形をとる。ビット、値、要素、記号、文字、用語、数字又は同様のものとしてこれらの信号を参照することは、主に共通使用の理由で、時に好都合であることが判明している。
【００２６】
しかし、これらの及び同様の用語のすべては、適切な物理量に関連付けられることになり、これらの量に適用される単に便宜的なラベルであることに留意されたい。以下の考察から明らかなように別段の具体的な記述のない限り、本明細書をとおして、「処理」又は「演算」又は「計算」又は「判定」又は「表示」又は同様のものなどの用語を使用した考察は、コンピュータシステム、或いは、そのコンピュータシステムのレジスタ及びメモリ内の物理（電子）量として表されたデータを操作し、コンピュータシステムメモリ又はレジスタ又は他のそのような情報記憶、送信又は表示デバイス内の物理量として同様に表される他のデータに変形する同様の電子計算デバイスの動作及びプロセスを指すことが理解される。
【００２７】
本発明はまた、本明細書の動作を実行するための装置に関する。この装置は、要求される目的のために特に構築することができ、又は、この装置は、そのコンピュータに記憶されたコンピュータプログラムによって選択的に起動された若しくは再構成された汎用コンピュータを備え得る。そのようなコンピュータプログラムは、フロッピディスク、光ディスク、ＣＤ−ＲＯＭ、及び磁気−光ディスクを含む任意のタイプのディスク、読取り専用メモリ（ＲＯＭ）、ランダムアクセスメモリ（ＲＡＭ）、ＥＰＲＯＭ、ＥＥＰＲＯＭ、磁気若しくは光カード、又は、電子命令を記憶するのに適した及びコンピュータシステムバスに各々結合された任意のタイプの媒体などの、但しこれらに限定されない、コンピュータ可読記憶媒体内に記憶され得る。
【００２８】
本明細書で提示されるアルゴリズム及び表示は、特定のコンピュータ又は他の装置に本質的に関連しない。様々な汎用システムが、本明細書の教示に従ってプログラムと使用可能であり、或いは、要求される方法ステップを実行するためのより専門の装置を構築することが好都合であることが証明され得る。様々なこれらのシステムの要求される構造は、以下の説明から明らかとなろう。加えて、本発明は、特定のプログラミング言語を参照して説明されない。様々なプログラミング言語が、本明細書に記載されるように本発明の教示を実装するために使用され得ることが、理解されよう。
【００２９】
マシン可読媒体は、マシン（たとえば、コンピュータ）による可読の形で情報を記憶又は送信するための任意の機構を含む。たとえば、マシン可読媒体は、読取り専用メモリ（「ＲＯＭ」）、ランダムアクセスメモリ（「ＲＡＭ」）、磁気ディスク記憶媒体、光記憶媒体、フラッシュメモリデバイスなどを含む。
［概説］
【００３０】
本発明の実施形態は、セルラネットワークと使用するための新しいＢＩＡ伝送方式を考慮する。その新しいＢＩＡ方式は、先行技術のＢＩＡ方式よりも緩やかなチャネルコヒーレンス時間要件を有する。それにより、本明細書で提案されるＢＩＡ方式は、チャネル内の時間変化により頑強であることを証明することができる。本方式はまた、米国特許出願公開第２０１２／００５８７８８号、表題「Ｍｅｔｈｏｄ  ａｎｄ  Ａｐｐａｒａｔｕｓ  ｆｏｒ  Ｃｏｍｍｕｎｉｃａｔｉｎｇ  ｗｉｔｈ  Ｂｌｉｎｄ  Ｉｎｔｅｒｆｅｒｅｎｃｅ  Ａｌｉｇｎｍｅｎｔ  ｕｓｉｎｇ  Ｐｏｗｅｒ  Ａｌｌｏｃａｔｉｏｎ  ａｎｄ／ｏｒ  Ｔｒａｎｓｍｉｓｓｉｏｎ  Ａｒｃｈｉｔｅｃｔｕｒｅ」、２０１１年９月１日出願、及び、米国特許出願公開第２０１２／００６９８２４号、表題「Ｍｅｔｈｏｄ  ｆｏｒ  Ｅｆｆｉｃｉｅｎｔ  ＭＵ−ＭＩＭＯ  Ｔｒａｎｓｍｉｓｓｉｏｎ  ｂｙ  Ｊｏｉｎｔ  Ａｓｓｉｇｎｍｅｎｔｓ  ｏｆ  Ｔｒａｎｓｍｉｓｓｉｏｎ  Ａｒｃｈｉｔｅｃｔｕｒｅ，  ａｎｄ  Ｉｎｔｅｒｆｅｒｅｃｅ  Ａｌｉｇｎｍｅｎｔ  Ｓｃｈｅｍｅｓ  ｕｓｉｎｇ  Ｏｐｔｉｍｉｚｅｄ  Ｕｓｅｒ−Ｃｏｄｅ  Ａｓｓｉｇｎｍｅｎｔｓ  ａｎｄ  Ｐｏｗｅｒ  Ａｌｌｏｃａｔｉｏｎ」、２０１１年９月２１日出願、において提示されるような配列構造内の電力変化とともに使用することができ、そして、米国特許出願公開第２０１２／００５８７８８号、表題「Ｍｅｔｈｏｄ  ａｎｄ  Ａｐｐａｒａｔｕｓ  ｆｏｒ  Ｃｏｍｍｕｎｉｃａｔｉｎｇ  ｗｉｔｈ  Ｂｌｉｎｄ  Ｉｎｔｅｒｆｅｒｅｎｃｅ  Ａｌｉｇｎｍｅｎｔ  ｕｓｉｎｇ  Ｐｏｗｅｒ  Ａｌｌｏｃａｔｉｏｎ  ａｎｄ／ｏｒ  Ｔｒａｎｓｍｉｓｓｉｏｎ  Ａｒｃｈｉｔｅｃｔｕｒｅ」、２０１１年９月１日出願、及び、米国特許出願公開第２０１２／００６９８２４号、表題「Ｍｅｔｈｏｄ  ｆｏｒ  Ｅｆｆｉｃｉｅｎｔ  ＭＵ−ＭＩＭＯ  Ｔｒａｎｓｍｉｓｓｉｏｎ  ｂｙ  Ｊｏｉｎｔ  Ａｓｓｉｇｎｍｅｎｔｓ  ｏｆ  Ｔｒａｎｓｍｉｓｓｉｏｎ  Ａｒｃｈｉｔｅｃｔｕｒｅ，  ａｎｄ  Ｉｎｔｅｒｆｅｒｅｎｃｅ  Ａｌｉｇｎｍｅｎｔ  Ｓｃｈｅｍｅｓ  ｕｓｉｎｇ  Ｏｐｔｉｍｉｚｅｄ  Ｕｓｅｒ−Ｃｏｄｅ  Ａｓｓｉｇｎｍｅｎｔｓ  ａｎｄ  Ｐｏｗｅｒ  Ａｌｌｏｃａｔｉｏｎ」、２０１１年９月２１日出願、に記載されるものなどのセルラ及びセルラ以降の送信と使用することができる。
［元のＢＩＡ方式］
【００３１】
元のＢＩＡ方式は、当業者によく知られている。情報として、Ｃ．Ｗａｎｇ他、「Ａｉｍｉｎｇ  Ｐｅｒｆｅｃｔｌｙ  ｉｎ  ｔｈｅ  Ｄａｒｋ−−Ｂｌｉｎｄ  Ｉｎｔｅｒｆｅｒｅｎｃｅ  Ａｌｉｇｎｍｅｎｔ  ｔｈｒｏｕｇｈ  Ｓｔａｇｇｅｒｅｄ  Ａｎｔｅｎｎａ  Ｓｗｉｔｃｈｉｎｇ」、２０１０年２月、（以下「Ｗａｎｇ」という）を参照、並びに、Ｗａｎｇ他、「Ｉｎｔｅｒｆｅｒｅｎｃｅ  Ａｌｉｇｎｍｅｎｔ  ｔｈｒｏｕｇｈ  Ｓｔａｇｇｅｒｅｄ  Ａｎｔｅｎｎａ  Ｓｗｉｔｃｈｉｎｇ  ｆｏｒ  ＭＩＭＯ  ＢＣ  ｗｉｔｈ  ｎｏ  ＣＳＩＴ」、アシロマ会議の議事録、２０１０年１１月、を参照。元のＢＩＡ方式は、１セットのＭの送信アンテナからＫの受信機に情報担持信号を同時に通信するための方法を説明する。各受信機は、Ｍの物理アンテナ又は１つの操作可能なアンテナ（たとえば、その特性が変更可能なアンテナ）、但し単一のみのＲＦチェーン、を有する。１つのそのような受信機の一例が図１８に示され、そこで、単一のＲＦチェーン１８０１は様々なアンテナ１８００と受信機処理１８０２を有するインターフェースアンテナ１８００の間で切り替える。単一のＲＦチェーンのみを有する結果として、１つのみの受信アンテナ（１つの受信アンテナモード）が、所与のタイムスロット内でアクティブになり得る（すなわち、送信を受信することができる）。結果として１つのみの受信アンテナが、所与のスロット（たとえば、ＯＦＤＭ送信の時間周波数スロット）内でアクティブになり得る（すなわち、データを受信することができる）。説明を目的として、本システム内の時間周波数スロット当たりの（平均）送信電力は「Ｐｓｌｏｔ」であると仮定する。Ｗａｎｇで提示されるＢＩＡ（Ｍ，Ｋ）方式は、１セットのＭのアンテナ（そして特に本発明の実施形態を目的として、及び元のＢＩＡ方式において必ずではなく、１つ又は複数のＢＳを介して存在し得る）からＫのユーザの各々にＭ／（Ｍ＋Ｋ−１）の符号化された記号の平均を送信する。これは任意のそのような配列方式（ＣＳＩＴのない）の最大値であり、それは以下によって達成される。
−  ともに調整された形で各ユーザ端末でＲＸＡを周期的に繰り返すこと
−  以下であるように、Ｍのアンテナを介してすべてのユーザ記号を体系的に送信すること
・各ユーザがそれ自体の記号のみを含む測定結果を抽出することができる（他のユーザ記号からの干渉のないノイズで）。
・送信に干渉する各受信機が、できる限り最小の数の次元で整列され、そして、そのような干渉配列のためのこれらの「無駄にされる」次元の数は可能な限り小さい。
【００３２】
具体的に、本方式は、各ユーザに１セットのＭ次元ベクトル記号（又は記号ストリーム）を送信する。Ｍのアンテナを介して単一のＭ次元記号を送信することは、ｋ＝１、２、…、Ｍについて、そのベクトルの第ｋの項目が第ｋのアンテナを介して送信されることを意味する。Ｗａｎｇにおける単一のＢＩＡ配列ブロックは、合計「Ｌ」スロットを使用して各ユーザｋ（ｋ＝１、２、…，Ｋ）に１セットの「Ｎ」ベクトル記号
【数１】
0005964948.tif 000002
を配信する。「Ｎ」及び「Ｌ」の値は、［１］で体系的に判定され、
Ｌ＝Ｎ（Ｍ＋Ｋ−１）
を満たす。したがって、長さＬの配列ブロック内で各ユーザにその配列方法によって提供される記号の平均数は、
【数２】
0005964948.tif 000003
によって与えられる。Ｗａｎｇによれば、長さＬのＢＩＡ配列ブロックは、本明細書では配列ブロック１及び２と称される２つのサブブロックを構成する。
【００３３】
配列ブロック１：ブロック１は、長さＮ（Ｍ−１）を有する。配列ブロック１の各スロットで、その基地局の送信機（又はアクセスポイント若しくは他のワイヤレス送信デバイス）は、合計Ｋのベクトル記号、ユーザごとに１つのＭ次元記号を送信する。どの記号（Ｎ記号の中から）が各ユーザのために送信されるかは、すべての記号が各ユーザで復号可能であることを確保するために、体系的方法で選択される。例は、この点を説明する。
【００３４】
配列ブロック２：ブロック２は、長さＮＫを有する。配列ブロック２の各スロットで、その基地局の送信機（又はアクセスポイント若しくは他のワイヤレス送信デバイス）は、単一のＭ次元記号のみを送信する。特に、その送信機は、ユーザごとに配列ブロック２のＮスロットを使用して、Ｎユーザ記号の各々を１つずつ送信し、その送信機はそれをＫのユーザの各々について行う。
【００３５】
各ユーザがそれ自体の記号ストリームを復号することができることを確保するために、各ユーザは所定の及びユーザに特有の形でそれのセットのＭのアンテナモードを周期的に繰り返す必要がある。特に、
【数３】
0005964948.tif 000004
は、Ｍの送信アンテナと第ｋのユーザの第ｍの受信アンテナモードの間の１×Ｍチャネルベクトルを示すものとする（但し、ユーザの第ｍのアンテナモードは、たとえば、そのユーザのための第ｍの受信アンテナを起動することに一致する）。また、α［ｋ］（ｔ）は、ｔ＝１、２、…、Ｌについて、スロットｔ内のユーザｋによって選択されるアンテナモードのインデックスを示すものとする。その場合、以下の１×Ｌのベクトルは、所与の配列ブロック内のユーザｋによって繰り返されるモードの配列をとらえる：
ａ［ｋ］＝［α［ｋ］（１）  α［ｋ］（２）…α［ｋ］（Ｌ）］
以下では、Ｗａｎｇで提示された元のＢＩＡ方式に基づく調整された記号ユーザ送信の代表例を提供する。本発明の実施形態において有用なこれらの方式の拡張は、その後に提示される。
【００３６】
例１：Ｍ＝２、任意のＫを有する、Ｗａｎｇにおける元のＢＩＡ方式。図１は、Ｍ＝２の送信アンテナ（ＴＸＡ）、及びＭ＝２の受信機ごとの受信アンテナ（ＲＸＡ）モードの場合に、Ｋ＋１送信スロットを介してＫのユーザに同時に供する、元の、先行技術の、ＢＩＡ伝送方式を示す。この場合の配列符号は、長さＬ＝Ｋ＋１を有し、図１の上部の表に示される。それは、各ユーザに単一の２次元記号、すなわちＮ＝１、を配信する。特に、それは、ユーザｋに２ｘ１符号化された記号
【数４】
0005964948.tif 000005
表示を配信する。ユーザｋが
【数５】
0005964948.tif 000006
を復号することができるために、ユーザｋは、図１の下部の表に示されたアンテナモード−切替えパターンに従う必要がある。ｘ（ｔ）がスロットｔでの送信される記号を示すものとして、その符号は以下のとおりである：
【数６】
0005964948.tif 000007
【００３７】
復号：何らかのｋ、１≦ｋ≦Ｋ、についてユーザｋを考える。ユーザｋは、スロットｋを除くすべてのスロットで同アンテナモードを使用するので、受信されるスロット１信号からスロット２〜スロットＫ＋１のすべてのスロットで受信される信号の合計を減算し、スロットＫ＋１を除外して、すべての他のユーザの記号からの干渉を解消する。干渉解消の後、受信機ｋ（ｋ＝１、２、…，Ｋについて）は、以下の形の測定信号を有する
【数７】
0005964948.tif 000008
但し、
【数８】
0005964948.tif 000009
は、ノイズを表す。各事例において、
【数９】
0005964948.tif 000010
は、Ｋのノイズ項の合計を表す。このノイズ増強効果は、やはり、干渉除去に起因し、
【数１０】
0005964948.tif 000011
の電力は
【数１１】
0005964948.tif 000012
のＫ倍であるので、Ｋがより大きいときに、すなわちより多くのユーザが供されるときに、より顕著である。米国特許出願公開第２０１２／００５８７８８号、表題「Ｍｅｔｈｏｄ  ａｎｄ  Ａｐｐａｒａｔｕｓ  ｆｏｒ  Ｃｏｍｍｕｎｉｃａｔｉｎｇ  ｗｉｔｈ  Ｂｌｉｎｄ  Ｉｎｔｅｒｆｅｒｅｎｃｅ  Ａｌｉｇｎｍｅｎｔ  ｕｓｉｎｇ  Ｐｏｗｅｒ  Ａｌｌｏｃａｔｉｏｎ  ａｎｄ／ｏｒ  Ｔｒａｎｓｍｉｓｓｉｏｎ  Ａｒｃｈｉｔｅｃｔｕｒｅ」、２０１１年９月１日出願、に記載されるように、ノイズ増強レベルは、ＢＩＡ符号スロットを介する適切な電力割当てによって制御することができる。そのような電力割当て方法はまた、本明細書で提示される方式で使用することができる。しかし、説明を容易にするために、それらは、本願には明示的に記載されない。
【００３８】
図１の上部の表は、例１からのＢＩＡ（２，Ｋ）符号を記載する。図１の下部の表は、モード１が「ｈ」アンテナモードに対応し、一方、モード２が「ｇ」アンテナモードに対応するという含意を有する、ユーザアンテナ切替えパターンを説明する。しかし、実際には、チャネルは、経時的に変化する。結果として、ユーザ端末が同モードを使用する事例は、一般に、同一チャネルを介する送信をもたらさない。特に、そのようなチャネル間の相関の強さは、そのチャネルのコヒーレンス時間及びそれらの時間的距離に依存する（それらが時間において近ければ近いほど、チャネル間の相関は強くなる）。
【００３９】
図２は、Ｍ＝２の送信アンテナ、及び受信機ごとにＭ＝２の受信アンテナモードの場合に、Ｋ＝４で、Ｋ＋１送信スロットを介してＫのユーザに同時に供する、Ｗａｎｇからの元のＢＩＡ伝送方式を示す。図２に上の２つの表は、特別な場合Ｋ＝４における例１からのＢＩＡ（２，Ｋ）符号及び関連アンテナ切替えパターンを示す。図２の下部の表は、アンテナモード切替え及び経時的なチャネル可変の両方を説明する、ユーザによって経験されるチャネルのより詳細な説明を示す。すなわち、図２の下部の表は、中央の表のアンテナ切替えパターンに関連付けられたアンテナチャネルを再び記載するが、一方でチャネルにおける時間可変もまた説明する。特に、ｈ［ｋ］（ｔ）及びｇ［ｋ］（ｔ）は、ユーザ端末ｋが、それぞれ、チャネルモード１及び２の下で時間ｔに経験するチャネルを示す。ユーザｋは、時間１及びｊ＋１にチャネルで同チャネルモードを使用すること、及び、その第１の測定からその第（ｊ＋１）の測定を減算することによって、ユーザｊ（ｋとは異なるあるｊ）に意図された記号からの干渉を除去することができることになる。この除去の正確度は、ｈ［ｋ］（１）がｈ［ｋ］（ｊ＋１）にどの程度近いかに依存する。ｊ＝Ｋ、及びＫ＝４について、これは、時間的に離れてなお十分強い相関性のある４つのサンプルをユーザチャネルに求める。一般的Ｋの場合、これは、ユーザチャネルに時間的に離れてなお十分相関性のある最大Ｋのサンプルをユーザチャネルに求める。
【００４０】
図３は、干渉配列のために必要とされるアンテナ切替えパターンと関連付けられたユーザに経験されるチャネル（下部）とともに、Ｍ＝２の送信アンテナ、及び受信機ごとにＭ＝２の受信アンテナモードの場合に、Ｋ＝４で、Ｋ＋１送信スロットを介してＫのユーザに同時に供する、図２の元のＢＩＡ伝送方式の再順序付け（上部）を示す。この方式は、チャネルが３つ（５つと対立するものとしての）の時間サンプルとなお十分に相関性があることを必要とする。一般的Ｋの場合、そのような再順序付けされた方式は、時間的に離れたＫ／２記号であるサンプルについて（偶数Ｋについて）チャネルコヒーレンスを必要とすることになり、それによって、２倍にコヒーレンス時間要件を緩和する。しかし、そのコヒーレンス時間要件はやはりＫとともに増える。図３の下部の表は、ユーザによって経験されるチャネルの詳細な説明を示し、アンテナモード切替え及び経時的なチャネル可変の両方を説明する。
［Ｍ＝２のＲＸＡモード（及び２のＴＸＡ）を有するＢＩＡ方式に関わる実施形態］
【００４１】
図４は、Ｍ＝２の送信アンテナ、及び受信機ごとにＭ＝２の受信アンテナモードの場合に、Ｋ＋１＝５の送信スロットを介してＫ＝４のユーザに同時に供する、新しいＢＩＡ方式を示す。そのＢＩＡ（２，Ｋ＝４）符号構造は、図４の上方の表によって示すとおりである。中央の表に示すユーザｋのアンテナ切替えパターンは、ユーザｋがすべての干渉を除去し、それ自体の記号を復号することを可能にする。下部の表は、そのユーザによって経験されるチャネルの詳細な説明を示し、アンテナモード切替え及び経時的なチャネル可変の両方を説明する。ユーザｋは、時間ｊ及びｊ＋１にチャネルで同チャネルモードを使用すること、及びその第ｊの測定からその第（ｊ＋１）の測定を減算することによって、ユーザｊ（ｋとは異なるあるｊ）の記号を取り消すことができることが、容易に確認され得る。この除去の正確度は、ｈ［ｋ］（ｊ）がｈ［ｋ］（ｊ＋１）にどの程度近いかに依存する。これは、ユーザチャネルが、２つの連続的サンプルについて依然として十分に強い相関性があることを必要とする（それによって、２つのサンプルを介する時間コヒーレンスを必要とする）。
【００４２】
図５は、任意のＫへの図４の符号構造の拡張である、新しいＢＩＡ方式を示す。Ｍ＝２の送信アンテナ及び受信機ごとのＭ＝２の受信アンテナモードの場合、このＢＩＡ方式は、Ｋ＋１送信スロットを介してＫのユーザに同時に供する。図５の下部にある表に示すユーザｋのアンテナパターンは、ユーザｋがすべての干渉を除去し、それ自体の記号を復号することを可能にする。容易に明らかなように、この方式は、Ｋの値に関わらずちょうど２つの連続的記号を介して依然として十分強い相関性のあることをユーザチャネルに要求する。これは、他のユーザに意図されたストリームからの干渉を除去するために必要とされるチャネル配列を可能にする。
【００４３】
他の実施形態は、チャネルのコヒーレンス時間に合わせたＢＩＡ（２，Ｋ）符号設計を含む。特に、図６は、Ｄサンプルのチャネルコヒーレンスを要求する符号構造の実施形態を示す。２次元記号が、各ユーザに送信される。特に、行ｋの２つの黒い正方形は、ユーザ端末ｋの２次元記号の送信を示す。
【００４４】
一実施形態で、送信されるユーザ記号に割り当てられる電力は、送信電力が経時的に一定であるように、変更される。１つの一定電力送信において、使用可能な（経時的に一定な）電力が、各タイムスロット内の送信される記号に均等に割り当てられる。
［２より大きいＭを有するＭのＲＸＡモード（及びＭのＴＸＡ）を有するＢＩＡ方式に関わる実施形態］
【００４５】
元のＢＩＡ（Ｍ，Ｋ）方式の同様の拡張が、２より大きいＭの値について設計され得る。図７〜１４は、Ｍ＝３のＴＸアンテナ及びＭ＝３のアンテナモードの場合のそのような拡張を示す。
【００４６】
図７及び８は、それぞれ、ＢＩＡ（３，３）符号の明確及びコンパクトな説明を示す。図７は、Ｍ＝３の送信アンテナ、及び受信機ごとにＭ＝３の受信アンテナモードの場合に、２０の送信スロットを介してＫ＝３のユーザに同時に供する、Ｗａｎｇからの元のＢＩＡ方式を示す。下部の表に示されるユーザｋのアンテナパターンは、ユーザｋがすべての干渉を除去し、それ自体の記号を復号することを可能にする。図７の下部の表に示すように、ユーザｋがモード１、２、及び３を選択するとき、送信機とユーザｋの間のチャネルは、それぞれ、ベクトルｈ［ｋ］ｇ［ｋ］及びｆ［ｋ］を介して与えられる。図８は、図７に示すＢＩＡ符号及びＢＩＡ符号と関連付けられたアンテナモード切替えパターンの代替の、よりコンパクトな説明である。特に、ベクトル記号ｘｊ［ｋ］が、所与のタイムスロットｎ内の送信される信号の部分であるとき、記号「ｊ」は、ユーザｋ及びタイムスロットｎの行と関連付けられた表項目内で図８の上部の表に示され、ユーザｋの第ｊの記号がタイムスロットｎ内の送信される記号の部分であることを表す。図７及び８の符号は、１６時間サンプル間隔のスロットを介する時間コヒーレンスに以下を要求する：キャンセルすること、たとえば、ユーザ３の記号１はそのチャネルがタイムスロット１、５、及び１７において一定であることを要求する。
【００４７】
図９及び１０は、低減されたチャネル時間コヒーレンス要件を有する新しいＢＩＡ（３，３）符号の一実施形態の関連する明確且つコンパクトな説明を示す。図９は、Ｍ＝３送信のアンテナ、及び受信機ごとにＭ＝３の受信アンテナモードの場合に、２０送信スロットを介してＫ＝３のユーザに同時に供する、新しいＢＩＡ伝送方式を示す。下部の表に示されるユーザｋのアンテナパターンは、ユーザｋがすべての干渉を除去し、それ自体の記号を復号することを可能にする。図７及び８の元の符号とは対照的に、図９及び１０の符号は、ちょうど８時間サンプル間隔のスロットを介して時間コヒーレンスに以下を要求する：キャンセルすること、たとえば、ユーザ１の記号４は、タイムスロット４、１１、及び１２においてそのチャネルが一定である（ユーザ２及び３で）ことを要求する。
【００４８】
同様に図１１及び１２は、それぞれ、元のＢＩＡ（３，４）符号と低減されたチャネル時間コヒーレンス要件を有するＢＩＡ（３，４）符号の一実施形態とを示す。図１１は、Ｍ＝３のＴＸＡ、及び受信機ごとのＭ＝３のＲＸＡモードについて、４８のＴＸスロットを介してＫ＝４のユーザに供する、Ｗａｎｇにおける元のＢＩＡ方式を示す。図１２は、Ｍ＝３のＴＸＡ、及び受信機ごとにＭ＝３のＲＸＡモードの場合に、４８送信スロットを介してＫ＝４のユーザに供する、新しいＢＩＡ方式を示す。図１１中の符号は、２４時間サンプル間隔のスロットを介して時間コヒーレンスに以下を要求する：キャンセルすること、たとえば、ユーザ３の記号１は、タイムスロット１、９、及び２５においてそのチャネルが一定であること（ユーザ１及び２で）を要求する。
【００４９】
図１３及び１４は、元のＢＩＡ（３，Ｋ）符号とＢＩＡ（３，Ｋ）符号のある種の実施形態によって満たされる構造の論理的説明を示す。図１４で提案するように、Ｗａｎｇにおける元のＢＩＡ方式とは異なり、提案される方式のチャネルコヒーレンス時間要件はＫとともに増えない。図１３は、Ｍ＝３のＴＸＡ、及び受信機ごとにＭ＝３のＲＸＡモードの場合に、Ｎ＝２Ｋ−１で、（Ｋ＋２）Ｎ送信スロットを介して各ユーザにＮ３次元記号を送信し、Ｋのユーザに供する、Ｗａｎｇにおける元のＢＩＡ方式のブロック記述を示す。図１４は、Ｍ＝３のＴＸＡ、及び受信機ごとにＭ＝３のＲＸＡモードの場合に、（Ｋ＋２）Ｎ送信スロットを介してＫのユーザに供する、新しいＢＩＡ伝送方式のブロック記述を示す。図１１の元の符号とは対照的に、図１３の符号は、ちょうど１２時間サンプル間隔のスロットを介して時間コヒーレンスに以下を要求する：キャンセルすること、たとえば、ユーザ１の記号８は、タイムスロット４、１５、及び１６においてそのチャネルが一定であること（ユーザ２及び３で）を要求する。
【００５０】
図１５及び１６は、任意のＭ、及びＫの事例についてのこれらの発想の拡張を示す。図１５は、ＭのＴＸＡ、及び受信機ごとのＭのＲＸＡモードの場合に、Ｎ＝（Ｍ−１）Ｋ−１で、（Ｋ＋Ｍ−１）Ｎ送信スロットを介してＮＭ次元記号を各ユーザに送信し、Ｋのユーザに供する、Ｗａｎｇのおける元のＢＩＡ方式のブロック記述を示す。図１６は、ＭのＴＸＡ、及び受信機ごとのＭのＲＸＡモードの場合に、（Ｋ＋Ｍ−１）Ｎ送信スロットを介し、Ｋのユーザに供する、新しいＢＩＡ伝送方式のブロック記述を示す。
［＞１のＲＦチェーン及び＞１のアクティブＲＸＡモードを一度に有するユーザを有するＢＩＡ方式に関する実施形態］
【００５１】
最後に、前述の符号構造は、任意の所与の時間にＮアクティブＲＸＡモード（及びしたがってＮのＲＦチェーン）を有するユーザ端末への送信を含むように容易に一般化することができ、それによって、Ｎモードの各々はＮＭ’事前設定モードのうちの１つでもよく、その基地局は、（少なくとも）ＮＭ’送信アンテナを有する。特に、これらの符号は、単一アクティブモード端末と関連付けられたＢＩＡ（Ｍ’，Ｋ）符号から推論することができる。図１７は、各々がＮ＝２の同時にアクティブなアンテナ（任意の所与の時間に両方ともアクティブな）を有し、各アンテナが受信機ごとの共通セットのＭ＝４（単一アンテナ）受信モードと少なくとも４つの送信アンテナを有する基地局との間で切り替えることができる、Ｋ＋１＝５送信スロットを介してＫ＝４ユーザに同時に供するためのＢＩＡ符号化構造に関わるサンプル実施形態を示す。中央の表に示されるユーザｋのアンテナパターンは、ユーザｋがすべての干渉を除去し、それ自体の記号を復号することを可能にする。下部の表は、そのユーザによって経験されるチャネルの詳細な説明を示し、アンテナモード切替え及び経時的なチャネル可変の両方を説明する。厳重な検査で、このＢＩＡ符号は図４のＢＩＡ（２，４）符号の直接一般化であることが明らかになる。図１７に示す実施形態で、４つのうちの２つのモードは、各アクティブアンテナのモード切替えに確保されている。結果として、この方式で、各ユーザ端末は、「Ｈ」モードセットと「Ｇ」モードセットの間でその２つのアンテナセットを切り替えることができる。
［基地局の一実施形態］
【００５２】
図１９は、基地局の一実施形態のブロック図である。図１９を参照すると、基地局１９００は、ユーザストリーム１〜３を受信する。３つのみのストリームが示されるが、３つ未満又は４つ以上のストリームが受信可能であり、それらのデータが送信され得ることが、当業者には理解されよう。一実施形態で、ユーザストリームは、局所的に生成される。もう１つの実施形態で、ユーザストリームは、コントローラによって提供される。ユーザストリーム１〜３の各々は、基地局によって受信される各ユーザストリームを符号化する符号化及び変調ユニット１９０１１−Ｎを使用し、符号化される。一実施形態で、符号化及び変調ユニット１９０１１−Ｎは、ユーザストリームでターボ符号化を実行し、次いで、その符号化されたデータを速度整合ユニットに提供する、ターボ符号化ユニットを含む。その速度整合ユニットは、速度整合を実行し、ＱＡＭ変調ユニットにデータを出力する。そのＱＡＭ変調ユニットは、６４ＱＡＭ、１６ＱＡＭ、又は何らかの他のＱＡＭ変調を実行することができる。異なる基地局が同じ符号化及び変調を使用して、それらが所与のユーザのために同時に送信する送信信号を生成することができる。しかし、異なる基地局は、異なる符号化を使用して、その基地局への入力である符号化されたユーザストリームを生成することができる。たとえば、１つの基地局は６４ＱＡＭを使用してもよく、一方、別の基地局は１６ＱＡＭを使用して、特定のユーザのための符号化されたストリームを生成することができる。したがって、ユーザストリームの符号構造は、異なってもよいが、両方の基地局によって実行されるＢＩＡ符号化は同じである。
【００５３】
符号化及び変調ユニット１９０１１−Ｎの各々の出力は、別個の符号を使用する各ユーザのための、前述のＢＩＡ符号化など、ＢＩＡ符号化を実行するＢＩＡ符号化ブロック１９０２１−Ｎへの入力である。ＢＩＡ符号器１９０２１−Ｎの各々の出力は、ＢＩＡ符号器１９０２１−Ｎからの記号ストリーム出力を結合させ、それらをＯＦＤＭスロットにマップし、ＯＦＤＭ送信機を介してそれらを送信する、結合器／マッパ１９０３への入力である。ＯＦＤＭ送信機は、アンテナ１−Ｎｔでデータをワイヤレス送信する。
【００５４】
したがって、前述のＢＩＡ符号のうちの少なくとも１つを使用してＫの端末に供し、ワイヤレス通信システムは、複数の端末（たとえば、受信機）と１つ又は複数の基地局の間の通信を可能にし、各端末は、少なくともＭのアンテナモードで動作可能な単一の無線周波数（ＲＦ）チェーンを有し、Ｍは整数であり、そしてさらに、各端末は、所定の方式でＭのアンテナモード間で偏移する。各端末は、少なくともＭのモードを有する再構成可能アンテナを有することができる。その１つ又は複数の基地局は、Ｍの送信アンテナの送信機アレイを使用して端末にダウンリンク送信を実行し、あるＬ＞０について、Ｌ（Ｍ＋Ｋ−１）スロットを介して送信機アレイからＫの端末に供する少なくとも１つの符号ＢＩＡ符号を使用するマルチユーザＭＩＭＯ（ＭＵ−ＭＩＭＯ）に基づくブラインド干渉配列（ＢＩＡ）方式を使用して、それらの端末のうちの１つ又は複数と通信するように動作可能であり、その１つ又は複数の基地局のうちの少なくとも１つは各ユーザｋのＬの記号を送信し、それによって、ユーザｋのＬの記号は、Ｋ未満のある整数Ｄについて、各々１セットのＬ（Ｍ＋Ｄ−１）連続スロット内のＭの個別スロットを介して送信される。その送信機アレイは、Ｍの送信アンテナを有する１つの基地局、又は、少なくともＭの送信アンテナを有する基地局の一群でもよいことに留意されたい。
【００５５】
一実施形態で、各々のＬの記号はＲ次元であり、Ｒは正の整数である。そのような場合、そのＢＩＡ符号は、各ユーザのためのＬ  Ｒ次元記号（Ｍの送信アンテナから）を送信する。一実施形態で、ＬはＭ−１（Ｋ−１）と等しく、ＲはＭと等しい。一実施形態で、ＢＩＡ（２，４）符号の場合などに、Ｍは２と等しく、Ｌは１と等しい。もう１つの実施形態で、４記号が（ｋ−１）４＋１〜（ｋ−１）４＋１２の１２（ＭＬ）連続スロットを介して各々３回各ユーザのために配置されるような、ＢＩＡ（３，３）符号の場合などに、Ｌは４と等しく、Ｍは３と等しい。さらに別の実施形態で、各ユーザについて、８記号が、（ｋ−１）４＋１〜（ｋ−１）４＋２４の２４（ＭＬ）連続スロットを介して各々３回置かれるような、ＢＩＡ（３，４）符号の場合などに、Ｌは８と等しく、Ｍは３と等しい。さらなる実施形態では、ＢＩＡ（Ｍ＝３，Ｋ）において、各ユーザについて、Ｌの記号が、（ｋ−１）Ｌ＋１〜（ｋ−１）Ｌ＋３Ｌの３Ｌ連続スロットを介して置かれる。図１４の各正方形記号はＬのスロット長であることに留意されたい。この場合には、一実施形態で、ユーザごとにＬ＝２（Ｋ−１）記号。各ユーザについて、これらの２（Ｋ−１）記号は、３×２（Ｋ−１）連続スロットを介して各々３回置かれる。また、ＢＩＡ（Ｍ＝３，Ｋ）について、各ユーザのために、Ｌの記号は、（ｋ−１）Ｌ＋１〜（ｋ−１）Ｌ＋ＭＬのＭＬ連続スロットを介して置かれる。図１６の各正方形記号はＬのスロット長であることに留意されたい。この場合には、一実施形態で、ユーザごとにＬ＝（Ｍ−１）＾（Ｋ−１）記号。各ユーザについて、これらの（Ｍ−１）（Ｋ−１）記号は、Ｍ×（Ｍ−１）＾（Ｋ−１）連続スロットを介して各々Ｍ回置かれる。
【００５６】
一実施形態で、Ｌの記号は、スロット（ｋ−１）Ｌ＋１〜スロット（ｋ−１）Ｌ＋ＭＬのＭＬスロット内で各々Ｍ回送信される。
【００５７】
一実施形態で、本ＢＩＡ方式は、所定の遅延パラメータＤで、Ｋ＋１送信スロットを介してＫのユーザに供するための少なくとも１つの符号ＢＩＡ符号を使用し、各ユーザ端末は（少なくとも）２つのアンテナモードの間の切替えの能力を有し、
そこでＫは偶数であり、整数Ｋ’について２Ｋ’と等しい場合、そのとき、所与のＤについて、０＜Ｄ＜Ｋ’を満たす：
１とＫ’の間のインデックスｋを有するユーザについて、ユーザｋの記号はスロットｋ及びｍｉｎ（Ｋ’＋１，ｋ−Ｄ＋１）に置かれ、
Ｋ’より大きいインデックスｋを有するユーザについて、ユーザｋの記号はスロットｋ＋１及びｍａｘ（Ｋ’，ｋ−Ｄ＋１）に置かれ、
そこでＫが奇数であり、整数Ｋ’について１＋２Ｋ’と等しい場合、そのとき、所与のＤについて、０＜Ｄ＜Ｋ’を満たす：
１とＫ’の間のインデックスｋを有するユーザについて、ユーザｋの記号はスロットｋ及びｍｉｎ（ｋ＋Ｄ，Ｋ’＋１）に置かれ、
Ｋ’＋１より大きいインデックスｋを有するユーザについて、ユーザｋの記号はスロットｋ＋１及びｍａｘ（Ｋ’＋２，ｋ−Ｄ＋１）に置かれ、
Ｋ’＋１に等しいインデックスｋを有するユーザについて、ユーザｋの記号はスロットＫ’＋１及びＫ’＋２に置かれる。
【００５８】
一実施形態で、各々の端末は、２つのアンテナモードで、及びその少なくとも１つのＢＩＡ符号に従って、動作可能であり、その１つ又は複数の基地局は、２つの連続スロットを介して送信されることになる各ユーザの記号を送信する。一実施形態で、各々の端末は、２つのアンテナモードで、及びその少なくとも１つのＢＩＡ符号に従って、動作可能であり、その１つ又は複数の基地局は、その間にＫのユーザのうちの一人の１つのみの記号ストリームが送信されるｋ＋１送信スロットのうちの第１の及び最後のスロットの間を除いて、ｋ＋１送信スロットの各々の間に２人の異なるユーザの合計２つの記号ストリームを送信し、そこで各ユーザの記号は、２つの連続スロットを介して送信される。
【００５９】
一実施形態で、Ｄの値は、最大でＫ／２と同じ大きさの任意の正の整数である。もう１つの実施形態で、Ｄの値は、Ｋ／２より小さい任意の正の整数である。さらに具体的には、本明細書に記載のブラインド干渉除去方式において、所与の端末の異なるスロットで受信される信号の線形組合せは、別のユーザに意図された他の各信号からの干渉を解消するために使用される。任意の所与の記号、たとえば、ユーザ１の記号１を例にとる。この記号は、Ｍ回（モードが存在するのと同数）送信される。任意の他のユーザでこの記号からの干渉を除去するために、そのユーザは、同モードを介してこの記号を見る必要があり、そのモードでのチャネルは、それによってもたらされる干渉の除去が可能になるように、十分に一定に留まる必要がある。ユーザｋ（ｋ＞１）でこの記号の除去を可能にするために、ユーザｋのそのチャネルのコヒーレンス時間（スロットでの）は、ユーザ１の記号１の第１の送信と最後の送信の間の時間差と少なくとも同じ大きさである必要がある。ユーザｋは、ユーザ１からのすべての他の記号（すなわち、ユーザ１のすべてのＬの記号）及びすべての他のユーザ（それ自体を除く）からのすべてのＬの記号からの干渉を除去する必要があることになる。したがって、そのコヒーレンス時間がこれらの時間差の最大よりも大きい場合、復号は可能である。数量（Ｍ−１＋Ｄ）は、Ｌの倍数でこの最大数をとらえる。
【００６０】
ｄｊ｛［ｋ］｝はユーザｋの第ｊの記号の第１の発生と最後の発生の間の時間差を示し、ｄｍａｘ＝ｍａｘ｛ｊ，ｋ｝ｄｊ｛［ｋ］｝とする。その場合、Ｄは、Ｌ（Ｍ−１＋Ｄ）＞＝（ｄｍａｘ＋１）］であるような、最も小さい整数である。これは、任意の所与のユーザの任意の所与の記号について、ＢＩＡ符号におけるその記号のすべてのＭの発生は１セットのＬ（Ｍ−１＋Ｄ）連続スロット内であることを意味する。
【００６１】
米国特許出願公開第２０１２／００５８７８８号、表題「Ｍｅｔｈｏｄ  ａｎｄ  Ａｐｐａｒａｔｕｓ  ｆｏｒ  Ｃｏｍｍｕｎｉｃａｔｉｎｇ  ｗｉｔｈ  Ｂｌｉｎｄ  Ｉｎｔｅｒｆｅｒｅｎｃｅ  Ａｌｉｇｎｍｅｎｔ  ｕｓｉｎｇ  Ｐｏｗｅｒ  Ａｌｌｏｃａｔｉｏｎ  ａｎｄ／ｏｒ  Ｔｒａｎｓｍｉｓｓｉｏｎ  Ａｒｃｈｉｔｅｃｔｕｒｅ」、２０１１年９月１日出願、で元のＢＩＡ方式について提示されたものに類似した、提示される実施形態の電力割当て拡張を考慮する本発明の実施形態が容易に設計され得ることが、当業者には明らかであろう。また、米国特許出願公開第２０１２／００６９８２４号、表題「Ｍｅｔｈｏｄ  ｆｏｒ  Ｅｆｆｉｃｉｅｎｔ  ＭＵ−ＭＩＭＯ  Ｔｒａｎｓｍｉｓｓｉｏｎ  ｂｙ  Ｊｏｉｎｔ  Ａｓｓｉｇｎｍｅｎｔｓ  ｏｆ  Ｔｒａｎｓｍｉｓｓｉｏｎ  Ａｒｃｈｉｔｅｃｔｕｒｅ，  ａｎｄ  Ｉｎｔｅｒｆｅｒｅｃｅ  Ａｌｉｇｎｍｅｎｔ  Ｓｃｈｅｍｅｓ  ｕｓｉｎｇ  Ｏｐｔｉｍｉｚｅｄ  Ｕｓｅｒ−Ｃｏｄｅ  Ａｓｓｉｇｎｍｅｎｔｓ  ａｎｄ  Ｐｏｗｅｒ  Ａｌｌｏｃａｔｉｏｎ」、２０１１年９月２１日出願、に記載の技法もまた、本明細書に記載されるものとともに使用することができる。
【００６２】
たとえば、一実施形態で、ユーザｋのＬの記号の各々に対応するＭの個別送信の各々は、異なる電力レベルを有する。もう１つの実施形態で、スロットごとの電力レベルは、一定であり、スロットで送信される記号間で共用される。
【００６３】
本発明の多数の改変形態及び修正形態は、勿論、前述の説明を読んだ後に当業者には明らかになろうが、例として示される及び説明されるいずれの特定の実施形態も決して限定として考えられるものではないことを理解されたい。したがって、様々な実施形態の詳細の参照は、それら自体で本発明に不可欠なものとして見なされるそれらの特徴のみを列挙する本特許請求の範囲を制限するものではない。
【図１】
0005964948.tif 000013
【図２】
0005964948.tif 000014
【図３】
0005964948.tif 000015
【図４】
0005964948.tif 000016
【図５】
0005964948.tif 000017
【図６】
0005964948.tif 000018
【図７】
0005964948.tif 000019
【図８】
0005964948.tif 000020
【図９】
0005964948.tif 000021
【図１０】
0005964948.tif 000022
【図１１】
0005964948.tif 000023
【図１２】
0005964948.tif 000024
【図１３】
0005964948.tif 000025
【図１４】
0005964948.tif 000026
【図１５】
0005964948.tif 000027
【図１６】
0005964948.tif 000028
【図１７】
0005964948.tif 000029
【図１８】
0005964948.tif 000030
【図１９】
0005964948.tif 000031